(57)【要約】【課題】  １枚のカードを回転させるだけで複数の演出効果が得られるカードゲーム装置を提供し、併せて、カードの回転移動が確実に行えるカード載置部を提供すること。【解決手段】  検出部１２によって検出されるカードの角度情報と演出指示情報とを対応付けたテーブルが記憶部１３に記憶されており、演出指示特定部１４で特定された演出指示情報は演出制御部１５で演出制御され、演出制御の内容を反映した演出対象画像が表示部５に表示される。また、カードの角度情報を検出するために載置するカード載置部１０は、周縁部に円周状のガイド１７が設けられている。【選択図】          図１
2008067837.tif 000002
【特許請求の範囲】
【請求項１】
カードを読み取りながらゲームを進行させるカードゲーム装置において、
カードの角度を示す角度情報と演出指示内容を示す演出指示情報とが対応付けされたテーブルを記憶する記憶部と、
カードを載置するためのカード載置部と、
前記カード載置部に載置されたカードの角度情報を検出する検出部と、
前記検出部が検出した角度情報に基づいて、前記記憶部に記憶されたテーブルを参照し、対応する演出指示情報を特定する演出指示特定部と、
前記演出指示特定部で特定された演出指示情報に基づいて演出制御を行う演出制御部と、
前記演出制御部で演出制御された画像を表示する表示部と、
を備えることを特徴とするカードゲーム装置。
【請求項２】
カードの角度情報に対応する前記演出指示情報は少なくとも、演出対象画像の全部又は一部の色彩、色調、濃淡に関する情報を含むことを特徴とする請求項１記載のカードゲーム装置。
【請求項３】
前記カードには、演出対象画像の表現特性を演出し得る演出特性情報が記憶されており、該演出特性情報は前記演出指示情報と同じく、前記検出部で検出され、前記演出制御部で演出制御されることを特徴とする請求項１又は請求項２に記載のカードゲーム装置。
【請求項４】
前記演出特性情報は少なくとも、演出対象画像の外観、アイテムなどの属性に関する情報を含むことを特徴とする請求項３記載のカードゲーム装置。
【請求項５】
カードの角度変更を補助するため、円周状のガイドが設けられていることを特徴とするカード載置部。
【請求項６】
カードの抜き差しを容易にするため、前記ガイドの一部に切欠部が設けられていることを特徴とする請求項５記載のカード載置部。
【請求項７】
前記カード載置部は、請求項５又は請求項６に記載のカード載置部であることを特徴とする請求項１乃至請求項４のいずれかに記載のカードゲーム装置。
【発明の詳細な説明】
【技術分野】
【０００１】
本発明は、カードゲーム装置及びカード載置部に関し、特に、カードの角度情報を読み取り、読み取られた情報を画像に反映しながら、ゲームを進行させるカードゲーム装置及びそのカードを載置するためのカード載置部に関する。
【背景技術】
【０００２】
従来あるカードゲームとしては、カードスクラッチ操作型のものが知られている（下記特許文献１参照）。また、最近では、カードの回転操作によりカードの角度情報を読み取れるタイプのカードゲームも開発されている（下記特許文献２参照）。
【特許文献１】特許第３１５１９７８号
【特許文献２】特開２００６−８１９５１
【発明の開示】
【発明が解決しようとする課題】
【０００３】
しかしながら、カードスクラッチ操作型のカードゲーム装置では、カードをスクラッチする位置がずれたり、スクラッチする際の速度が合わないなどの理由で、カードの読み取りに失敗する場面が多く見受けられ、それにより円滑なゲームの進行が妨げられるといった問題点があった。また、１枚のカードで得られる演出効果は１つだけであるため、演出効果の広がりを期待することは難しく、面白味に欠けていた。
【０００４】
また、カード回転操作型のカードゲーム装置では、単にカード回転の読取技術をカード読取手段として採用したものにあっては、カードの角度を変更する際、カードの回転軌道が一定に定まらず、確実にカードの角度変更操作を行うことが困難であるという問題があった。
【０００５】
そこで、本発明では、カードの角度変更が容易に行え、且つ、1枚のカードでも複数種類の演出効果が得られるカードゲーム装置及びカードの回転移動が確実に行えるカード載置部を提供することを目的とする。
【課題を解決するための手段】
【０００６】
本発明は、如上の課題を解決するための具体的手段として、以下のカードゲーム装置及びカード載置部を提案する。
【０００７】
請求項１の発明では、カードを読み取りながらゲームを進行させるカードゲーム装置において、カードの角度を示す角度情報と演出指示内容を示す演出指示情報とが対応付けされたテーブルを記憶する記憶部と、カードを載置するためのカード載置部と、前記カード載置部に載置されたカードの角度情報を検出する検出部と、前記検出部が検出した角度情報に基づいて、前記記憶部に記憶されたテーブルを参照し、対応する演出指示情報を特定する演出指示特定部と、前記演出指示特定部で特定された演出指示情報に基づいて演出制御を行う演出制御部と、前記演出制御部で演出制御された画像を表示する表示部とを備えたカードゲーム装置とした。
【０００８】
請求項２の発明では、請求項１に記載のカードゲーム装置であって、カードの角度情報に対応する前記演出指示情報は少なくとも、演出対象画像の全部又は一部の色彩、色調、濃淡に関する情報を含むカードゲーム装置とした。
【０００９】
請求項３の発明では、請求項１又は請求項２に記載のカードゲーム装置であって、前記カードには、演出対象画像の表現特性を演出し得る演出特性情報が記憶されており、該演出特性情報は前記演出指示情報と同じく、前記検出部で検出され、前記演出制御部で演出制御されるカードゲーム装置とした。
【００１０】
請求項４の発明では、請求項３に記載のカードゲーム装置であって、前記演出特性情報は少なくとも、演出対象画像の外観、アイテムなどの属性に関する情報を含むカードゲーム装置とした。
【００１１】
請求項５の発明では、カードの角度変更を補助するため、円周状のガイドが設けられているカード載置部とした。
【００１２】
請求項６の発明では、請求項５に記載のカード載置部であって、カードの抜き差しを容易にするため、前記ガイドの一部に切欠部が設けられているカード載置部とした。
【００１３】
請求項７の発明では、請求項１乃至請求項４に記載のカードゲーム装置であって、前記カード載置部は、請求項５又は請求項６のいずれかに記載のカード載置部であるカードゲーム装置とした。
【００１４】
本発明は、如上のとおり、カードゲーム装置及びカード載置部の発明に係り、カード載置部に載置されたカードの角度情報を得ることで、これに対応する演出指示情報が特定され、その演出指示情報に係る演出指示内容を反映した画像が表示部に表示される。
【００１５】
そのため、例えば、女の子のドレスアップやメイクアップを内容とするゲームであり、演出指示情報が演出対象画像の色彩や濃淡である場合、読み取られたカードの角度情報に応じて、衣服の色を変更し、また、化粧の濃淡を変化させることができる。
【００１６】
また、本発明では、カード載置部に載置するカード自体に演出特性情報を記憶させ、これを演出指示情報と同様に検出・制御することで、演出特性情報に係る表現特性を反映した画像が表示部に表示される。
【００１７】
そのため、前記した女の子のドレスアップやメイクアップを内容とするゲームであって、演出特性情報が演出対象画像に施される衣服や化粧、アクセサリーである場合、読み取られたカードの演出特性情報に応じて、衣服やアクセサリーの種類を変更し、また、化粧の内容を変えることができる。
【００１８】
また、本発明では、カードを載置するためのカード載置部につき、カードを載置する部分を囲むように円周状のガイドを設けることで、カードの角度変更を補助するようになっている。載置したカードの遊びが少なく、且つ、カードの回転移動が阻害されないよう、カードの長手方向よりも少し広めの直径を有する円周状のガイドであることが望ましい。
【００１９】
そのため、カードを回転して角度を変える際に、カードの位置が検出部から大きく外れることがないため、カードの角度情報を確実に読み取ることができる。
【００２０】
更に、本発明では、カード載置部に設けた前記円周状のガイドの一部を切り欠いた切欠部を設けることで、カードの抜き差しが容易に行える。カードの抜き差しが行え、且つ、ガイドとしての機能が著しく減殺されないよう、切欠部の幅員はカードの短手方向よりも少し広い程度であることが望ましい。
【００２１】
そのため、カード載置部に載置されたカードを別のカードに変更したり、ゲームが終了してカードを回収する際、前記ガイドの影響を受けることなく、容易にカードを抜き差しすることができる。
【００２２】
なお、前記したカード載置部は、他のカードゲーム装置にも利用できるほか、本発明に係るカードゲーム装置にも利用できることは勿論である。
【発明の効果】
【００２３】
本発明に係るカードゲーム装置及びカード載置部により、以下の効果を奏することができる。
【００２４】
カード載置部に載置したカードの角度変化をきっかけとして、変化した角度情報に基づく演出指示内容を演出対象画像に反映させることができる。
【００２５】
ユーザーは表示部に表示された演出対象画像を見ながら、カードの角度変化という極めて簡単な操作で、演出対象画像の全部又は一部の色彩、色調、濃淡を変化させることができる。
【００２６】
カード自体に演出特性情報を記憶させ、カードの角度変化の検出と同時にこれを読み取ることで、演出特性情報に係る衣服、アクセサリー、化粧などの表現特性を演出対象画像に反映させることができる。
【００２７】
このように、本発明では１枚のカードで複数の演出を行うことが出来るため、ユーザーはカード載置部にカードを載置し、これを回転移動させることで高い演出効果を得ることができる。
【００２８】
カード載置部にカードの回転移動を補助する円周状のガイドを設けたことで、カードの角度変更が安定的に行え、角度情報を確実に検出することができる。
【００２９】
ガイドによりカードの角度変更が補助されることで、ユーザーが低学年の児童であっても、中心が大きくずれることなくカードを回転移動させることができる。
【００３０】
カード載置部上のガイドに切欠部を設けたことで、カードの抜き差しが容易に行えるため、ユーザーは限られたゲーム時間内で迅速にカードの種類を変更することができる。
【００３１】
如上のカード載置部は構造が簡単なため、本発明に係るカードゲーム装置はもとより、既存のカードゲーム装置にも容易に装着することができる。
【発明を実施するための最良の形態】
【００３２】
次に、本発明に係るカードゲーム装置及びカード載置部の実施の形態を、図面に基づいて説明する。
図１は本発明に係るカードゲーム装置の外観の一例を示す斜視図である。
カードゲーム装置１の外観上の構成は、筐体２と、筐体２の正面最上部に装着された複数のスピーカー３、筐体２の正面上方両側部の装着された複数の照明４、筐体２の正面上方中央部に装着された表示部５、筐体２の正面下方左側部に装着されたキャッシュディスペンサー６、筐体２の正面下方右側部に装着されたカード排出口７、筐体２の正面中央部に設けられた操作盤８、操作盤８の左側に装着された複数の選択・決定ボタン９、操作盤８の右側に装着されたカード載置部１０とからなる。
【００３３】
図示した実施例では、筐体２は人間の平均的な身長と同程度の丈を有しているが、低学年児童がプレイし易いよう、より丈を低くしても良く、その高さや幅及び形状についてはこれに限定されない。また、図示した実施例によれば、複数のスピーカー３と照明４が設けられているが、その数や形状についてもこれに限定されない。
【００３４】
ゲームは通常、キャッシュディスペンサーに硬貨若しくはメダルを投入することによりスタートするが、その際、カード排出口７から排出されるカードの取得指示や、演出指示情報に係る色彩・色調・濃淡を含む演出指示内容が反映され、且つ、演出特性情報に係る衣服・アクセサリー・化粧といった属性に関する表現特性が反映された演出対象画像などが、表示部５に画面表示される。
【００３５】
実施例に示される複数の選択・決定ボタン９は、カード載置部１０に載置されたカードの角度情報に応じて変化する色彩・色調・濃淡などの演出が完了した際に用いられるほか、プレイ中若しくはプレイ終了後に提供されるサービスゲームなどをプレイする際に用いられる。
【００３６】
カード載置部１０はカード排出口７から排出されたカード若しくは手持ちのカードを載置するものであるが、図示するように、周縁部に円周状のガイド１７が設けられており、カードの長手方向より幾分長い直径であるため、カードを回転移動する際に、カードの中心がカード載置部１０の下部に設けられる検出部から大きくずれることがない。そのため、カードの角度情報の検出を確実に行うことが可能である。
【００３７】
図２は本発明に係るカードゲーム装置の主たるシステム構成を示すブロック図である。
カードゲーム装置１を構成するシステムは、前記カード載置部１０、カード載置部に載置されるカード１１、カード載置部１０に載置されたカード１１の角度情報及び演出特性情報を検出する検出部１２、カードの角度情報と演出指示内容に係る演出指示情報とが対応付けされたテーブルを記憶する記憶部１３、検出部が検出した角度情報に基づいて、前記記憶部に記憶されたテーブルを参照し、対応する演出指示情報を特定する演出指示特定部１４、演出指示特定部で特定された演出指示情報の演出制御を行う演出制御部１５、演出制御部で演出制御された画像を表示する前記表示部５、演出・決定ボタン９からのデータが入力される入力部１６とからなる。
【００３８】
カード１１には演出対象画像の表現特性を演出することのできる演出特性情報が記録されており、カード載置部１０に載置することで、カードの角度情報と共に検出部１２によって検出される。検出部１２で検出されるカードの角度情報は、演出対象画像の全部又は一部に反映される演出指示内容に係る演出指示情報と対応付けされており、その対応データに関するテーブルが記憶部１３に記憶されている。
【００３９】
具体的には、カード載置部１０に載置されたカードを回転すると、検出部１２によってその角度情報が検出される。すると、演出指示特定部１４が検出された角度情報に基づいて記憶部１３に記憶されるテーブルを参照しながら、対応する演出指示情報を特定する。続いて、特定された演出指示情報は演出制御部１５で演出制御され、演出制御された画像が表示部５に表示されることになる。演出指示情報は演出対象画像の全部又は一部の色彩、色調、濃淡を演出するので、カードの回転により順次、演出対象画像の全部又は一部の色彩、色調、濃淡が変化することになる。
【００４０】
そのため、ユーザーはカード１１をカード載置部１０に載置して回転移動させるだけで、カード１１に記録された演出特性情報に係る表現特性と、カード１１の回転移動に対応する演出指示情報に基づく演出指示内容といった、複数の演出を、同時に演出対象画像に反映させることができる。
【００４１】
図３は本発明に係るカード載置部１０を設けた操作盤８の一例を示す平面図である。
カード載置部１０はカードを載置し、載置したカードを回転移動するためのフィールドであるが、図示したように、その周縁部には円周状のガイド１７が設けられている。ガイド１７は、載置したカードの僅かな移動でその四隅のいずれかが当接し、常に正しい回転軌道が維持されるよう、カードの長手方向よりも少し広めの直径を有する円周であることが望ましい。
【００４２】
その結果、カード載置部１０に載置されたカードは、低学年児童であっても正しい軌道を維持しながら回転させることができるため、カード載置部１０の下部に設けられた検出部１２は、カードの角度情報やカードに記録された演出特性情報を正確に検出することができる。
【００４３】
また、カード載置部１０に設けられたガイド１７は、その一部を切り欠いた切欠部１８が形成されている。仮に、円周状のガイド１７をカード載置部１０の周縁部全体に渡って設けたとすれば、カードを交換し又は回収する際、カードの抜き差しに煩わしさを伴うことになるが、ガイド１７に切欠部１８を設けたことで、カードをカード載置部１０のフィールド上を手前に滑らせるだけで、切欠部１８から容易に抜き差しすることができる。
【００４４】
なお、図示した実施例では、操作盤８の右側に外周が四角形状をしたカード載置部１０とガイド１７が設けてあるが、カードと当接するガイド１７の内周が円周状となっている限り、外周の形状はどのようなものであっても問わない。また、ガイド１７を設ける代わりに、カード載置部が設けられる操作盤８の一部を円周状にカットし、それをガイドとして代用しても良い。
【実施例】
【００４５】
以下、本発明の実施例を図面に基づいて説明する。本発明は前記したように、カードの角度情報に対応する演出指示情報と、カード自体に記録された表現特性に関する演出特性情報の、２種類の演出情報を演出対象画像に反映することのできるカードゲーム装置であるが、ゲームの内容を女の子のドレスアップ及びメイクアップ、演出対象画像を女の子キャラクター、各演出情報を以下の演出内容とした場合の実施例につき説明する。
（１）演出特性情報：演出対象画像に施される衣服（トップス、ボトムス）、シューズ、メイク、ヘア、アクセサリー
（２）演出指示情報：演出対象画像に施される衣服（トップス、ボトムス）、シューズ、メイク、ヘア、アクセサリーの色彩又は濃淡
【００４６】
図４乃至図７は本発明の実施例におけるゲーム処理の流れを示すフローチャートである。
先ず、カードゲーム装置１はユーザーによる利用に先立ち、本体の電源が投入され、ユーザーの利用を待機した状態にある（図４の「待機中」）。この状態では、ゲームのタイトルや広告などのアドバタイズ映像が表示部５に表示されている（図４の「タイトル」）。
【００４７】
ユーザーが所定の硬貨若しくはメダルをキャッシュディスペンサー６の投入口に投入すると（図４の「１００円投入」）、ゲームが起動すると共に、カード排出口７からカードが排出される（図４の「カード排出」）。
【００４８】
演出ゲームの起動に伴い、表示部５にはカード排出口７からのカード取得を示唆するメッセージが表示され（図４の「カード取得示唆」）、ユーザーがカードを取得する猶予時間が経過すると（図４の「規定時間経過」）、ユーザーが演出ゲームをプレイできる猶予時間のカウントが開始する（図４の「演出開始」）。一方、ユーザーはカード排出口７から排出されたカードを取得する（図４の「カード取得」）。なお、ユーザーが演出ゲームをプレイできる猶予時間は、所定の硬貨等を投入した時点からカウントしても、また、カードをカード排出口７から取得した時点でカウントするようにしても構わない。
【００４９】
排出されたカードは、演出対象画像の表現特性に関する演出特性情報が予め記録されており、表現特性とは演出対象画像の外観やアイテムに関する属性データが含まれている。図示した実施例では、カードに記録されるデータの属性として、トップス、ボトムス、シューズ、メイク、ヘア及びアクセサリーの計６種類があり、１枚のカードには１つの属性における１つの表現特性に係る演出特性情報が記録されている。
【００５０】
例えば、前記の各属性毎に１０種類のアイテムが存在すると仮定して、排出されたカードの属性がボトムスであった場合、そこに記録されているのは前記１０種類のアイテムの内のいずれか１種類だけである。但し、１つのカードに記録する属性及び表現特性の種類や数については、可変であり、演出ゲームの内容やバージョンに応じて増減することは自由である。
【００５１】
また、カードに記録されている演出特性情報の属性及びアイテムについては、ユーザーにその内容が理解できるような表示が記されているので、ユーザーはその表示を見て、所望のアイテムに係るカードを用いて演出ゲームをプレイすることになる。演出ゲームに使用できるカードは、カード排出口７から排出されたカードだけでなく、以前入手したカードでも良いため、排出されたカードのアイテムが気に入らなければ、手持ちのカードから所望のものを用いても良い。
【００５２】
かくして、演出ゲームをプレイできる猶予時間のカウントが開始したら、ユーザーが演出によって目指すコースの選択を促す画面が表示部５に表示されるので、選択・決定ボタン９を用いてその選択を行う（図４の「スケジュール選択」）。
【００５３】
ユーザーが演出によって目指すコースとは、図示した実施例では、歌手になるための「歌唱選択」と、モデルになるための「撮影選択」の２つの志望コースが存在し、ユーザーの希望に応じて、歌手志望であれば図中「歌唱選択」を、モデル志望であれば図中「撮影選択」を選択することになる。
【００５４】
また、認証登録によりユーザー毎にファイルやフォルダを付与し、過去に演出を施した演出対象画像を保存できるようにしても良く、その場合は、前記したコースの選択(図４の「スケジュール選択」)を経由せず、認証情報の入力により、前記したファイルやフォルダから過去の演出対象画像を読み出し、それに更なる演出を施すことになる。その場合は、図４の「演出開始」から認証情報の入力などを経て、直接、図４の「コーディネート待受け」に進むことになる。
【００５５】
このように、演出した画像を保存しておけるようにすることで、例えば、友人との待ち合わせ時間までに完成することを予定してゲームを開始したところ、友人が思いのほか早く到着したために、演出中途にしてゲームプレイを終了せざるを得なくなった場合でも、自己のファイルやフォルダにその画像を保存しておき、後日、またその画像を読み出して、完成まで演出の続きを行うことができる。
【００５６】
歌手志望（図４の「歌唱選択」）かモデル志望（図４の「撮影選択」）のいずれか一方が選択され、又は、自己のファイルやフォルダから過去に演出した画像が読み出され、若しくは、コース選択のための規定時間が経過すると（図４の「規定時間経過」）、演出対象画像への各種演出が実行できるようになる（図４の「コーディネートカード待受け」）。
【００５７】
演出の実行が可能になると、表示部５に図４の「コーディネートカード待受け」のメッセージが表示されるので、ユーザーは排出されたカード若しくは手持ちのカードから選択したカードをカード載置部１０に載置する。すると、カード載置部１０の下部に設けてある検出部１２が、カードの演出特性情報と共に角度情報を読み取り、演出特性情報に係る表現特性と演出指示情報に係る演出指示内容が演出対象画像に反映される。
【００５８】
本実施例では前記したように、演出特性情報に係る表現特性がトップス、ボトムス、シューズ、メイク、ヘア、アクセサリーであり、演出指示情報に係る演出指示内容がトップス、ボトムス、シューズ、メイク、ヘア、アクセサリーの色彩又は濃淡であるから、仮に、カードの表現特性がトップスに属する「ブラウス」である場合は、カードをカード載置部１０に載置すると（図４の「トップス読込み」）、画面に表示される演出対象画像である女の子キャラクターのトップスが「ブラウス」に変化し（図４の「衣服演出」）、載置した際のカードの角度情報に対応する色彩が「赤色」であれば、前記「ブラウス」が「赤色」に変化することになる。
【００５９】
続いて、「赤色」の「ブラウス」では気に入らない場合は、載置したカードをユーザーがカード載置部１０上で回転させると（図４の「カード回転」）、検出部１２が順次その回転移動を検出し、演出指示特定部１４が検出された角度情報に基づいて記憶部１３に記憶されるテーブルを参照しつつ、検出された角度情報と対応する演出指示情報を特定すると、演出制御部１５が特定された演出指示情報を演出制御し、その演出が演出対象画像に反映されて、順次、演出対象画像の色彩や濃淡が変化していくことになる。そのため、仮に、ユーザーがカードを時計方向に３０度回転したとして、その角度情報に対応する色彩が「青色」であれば、前記「ブラウス」は「青色」に変化する。
【００６０】
このように、演出指示情報は演出対象画像の色彩や色調、濃淡を演出指示内容とし、検出部１２で検出されたカードの角度情報に基づいて、演出指示特定部１４によって演出指示内容が特定されるため、表示部５に表示される演出対象画像に施されたトップス、ボトムス、シューズ、メイク、ヘア、アクセサリーなどの演出特性情報に係る表現特性は、カードの回転によりその色彩や濃淡が順次変化することになる。
【００６１】
また、ゲームに使用できるカードはカード排出口７から排出されたものだけでなく、ユーザーが手持ちのカードも使用できるため、複数のカードを所有しているユーザーは、前記したトップスの演出だけでなく、ボトムス、シューズ、メイク、ヘア、アクセサリーへと複数の演出を続いて行うことができる。また、規定時間内であれば、何度でもこれら演出を繰り返し行うことができる。
【００６２】
なお、本実施例では、カードの回転移動により、演出対象画像の一部、すなわち、カードに記録される演出特性情報に係るトップス、ボトムス、シューズ、メイク、ヘア、アクセサリーなどの表現特性についてだけ、色彩又は濃淡が変化する内容としてあるが、予め演出対象画像である女の子キャラクターを含めた全体画像の要素毎に配色パターンを決めておき、カードの角度情報と対応付けたテーブルを設けておくことで、例えば、トップスを「黄色」に変えた時は、ボトムスが「黒色」、メイクが「ナチュラル」になるようにしても良い。
【００６３】
かくして、全ての演出が完了した場合は、選択・決定ボタン９のプッシュにより強制的に（図４の「ボタン操作」）、又は、演出できる規定時間の経過により自動的に（図４の「規定時間経過」）、演出のゲームが終了する（図４の「コーディネート演出完了」）。
【００６４】
演出対象画像への演出ゲームの概要は如上のとおりであるが、ゲームの面白味をより高めるため、例えば、、前記「歌唱選択」では「レッスン、歌謡番組収録、コンサート」などのパートを設け、また、「撮影選択」では「レッスン、写真撮影、ファッションショー」などのパートを設け、女の子キャラクターを一人前の歌手やファッションモデルに育て上げる段階で、完成した演出の是非を評価し（図５の「コーディネート評価」）、各パート毎に再び演出が行えるようにしたり、演出対象画像である女の子キャラクターの演出が最終的に完成した状態で、「歌唱選択」ではコンサートに出演し、「撮影選択」ではファッションショーに出演する内容の、サービスゲームを付加しても良い（図５及び図６参照）。
【００６５】
更に、最終的に演出が完成した状態の女の子キャラクターとデートすることができるデートゲームや、女の子キャラクターのアイドルとしての適正を診断するアイドル診断ゲーム、ユーザーの運勢を占う運勢占いゲームなどを付加し、コンサートやファッションショーに出演した際の得点に応じて、これらゲームのいずれか１つ若しくは複数が提供されるようにしても良い（図７参照）。
【産業上の利用可能性】
【００６６】
本発明は、１枚のカードで複数の演出効果が得られるカードゲーム装置、及び、カードの回転移動を容易且つ確実に行えるカード載置部に関するから、カードを用いたゲーム装置とりわけカードの角度情報を読み取りながらゲームを進行させるタイプのカードゲーム装置の分野で利用し得るものである。
【図面の簡単な説明】
【００６７】
【図１】本発明に係るカードゲーム装置の外観の一例を示す斜視図である。
【図２】本発明に係るカードゲーム装置の主たるシステム構成を示すブロック図である。
【図３】本発明に係るカード載置部１０を設けた操作盤８の一例を示す平面図である。
【図４】本発明の実施例における演出ゲーム処理の流れを示すフローチャートである。
【図５】図４のＡの後に続くゲーム処理の流れを示すフローチャートである。
【図６】図５のＢの後に続くゲーム処理の流れを示すフローチャートである。
【図７】図６のネームエントリーの後に続くゲーム処理の流れを示すフローチャートである。
【符号の説明】
【００６８】
１    カードゲーム装置
２    筐体
３    スピーカー
４    照明
５    表示部
６    キャッシュディスペンサー
７    カード排出口
８    操作盤
９    選択・決定ボタン
１０  カード載置部
１１  カード
１２  検出部
１３  記憶部
１４  演出指示特定部
１５  演出制御部
１６  入力部
１７  ガイド
１８  切欠部
【図１】
2008067837.tif 000003
【図２】
2008067837.tif 000004
【図３】
2008067837.tif 000005
【図４】
2008067837.tif 000006
【図５】
2008067837.tif 000007
【図６】
2008067837.tif 000008
【図７】
2008067837.tif 000009